【事件の表示】
　特許第２８５４６２４号「弾球遊技機」の発明の特許に対する特許異議の申立てについて、次のとおり決定する。
【結　論】
　訂正を認める。
　特許第２８５４６２４号の特許を維持する。
【理　由】
 1.手続の経緯
  本件特許第２８５４６２４号に係る発明は、平成１年９月１２日に特許出願され、平成１０年１１月２０日に設定登録された。その後、平成１１年８月３日に弓桁忠より特許異議の申立てがあり、これを受けて平成１１年１０月２１日付け取消理由通知がなされ、平成１２年１月７日付け訂正請求がなされた。
２．訂正の内容とその適否について
（１）訂正の内容
イ．特許請求の範囲の訂正
「【請求項１】特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機において、
　前記複数の入賞口の上流側の前記入賞空間に設けられ、受入れられた打玉を貯留し、且つ放出することができる打玉貯留機構と、
　該打玉貯留機構によって貯留されている打玉の貯留位置を変化させる貯留位置変化機構と、を備えたことを特徴とする弾球遊技機。」を、
「【請求項１】特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機において、
　前記複数の入賞口の上流側の前記入賞空間に設けられ、受入れられた打玉を貯留し、且つ前記所定期間の第１の状態中に所定の条件が成立したときに貯留していた打玉を放出することができる打玉貯留機構と、
　該打玉貯留機構によって貯留されている打玉の貯留位置を変化させる貯留位置変化機構と、を備えたことを特徴とする弾球遊技機。」と訂正する。
ロ．発明の詳細な説明の欄の訂正
（訂正事項ａ）
　明細書第３頁第２０行〜第４頁第１７行の［課題を解決するための手段］の、
「［課題を解決するための手段］
　上記した目的を達成するために、この発明に係る弾球遊技機は、特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにしたものにおいて、
　前記複数の入賞口の上流側の前記入賞空間に設けられ、受入れられた打玉を貯留し、且つ放出することができる打玉貯留機構と、該打玉貯留機構によって貯留されている打玉の貯留位置を変化させる貯留位置変化機構と、を備えたことを特徴とするものである。」を、
「［課題を解決するための手段］
　上記した目的を達成するために、この発明に係る弾球遊技機は、特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにしたものにおいて、
　前記複数の入賞口の上流側の前記入賞空間に設けられ、受入れられた打玉を貯留し、且つ前記所定期間の第１の状態中に所定の条件が成立したときに貯留していた打玉を放出することができる打玉貯留機構と、
　該打玉貯留機構によって貯留されている打玉の貯留位置を変化させる貯留位置変化機構と、を備えたことを特徴とするものである。」と訂正する。
（訂正事項ｂ）
　明細書第４頁第１８行〜第５頁第１１行の［作用］の
「［作　用］
　可変入賞球装置が第１の状態となっている間に受入れられた打玉は、打玉貯留機構によって貯留される。この貯留された打玉は、貯留位置変化機構によってその貯留位置が常に変化されるように移動している。このような移動している状態で打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」を、
「［作　用］
　可変入賞球装置が第１の状態となっている間に受入れられた打玉は、打玉貯留機構によって貯留される。この貯留された打玉は、貯留位置変化機構によってその貯留位置が常に変化されるように移動している。このような移動している状態で第１の状態中に所定の条件が成立して打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」と訂正する。
（訂正事項ｃ）
　明細書第３５頁第１３行〜第３６頁第６行の［発明の効果］の
「［発明の効果］
　以上、説明したところから明らかなように、この発明に係る弾球遊技機は、受入れられた打玉を貯留し、且つ放出することができる打玉貯留機構と、該打玉貯留機構によって貯留されている打玉の貯留位置を変化させる貯留位置変化機構と、を備えて構成されるので、打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」を、
「［発明の効果］
　以上、説明したところから明らかなように、この発明に係る弾球遊技機は、受入れられた打玉を貯留し、且つ所定期間の第１の状態中に所定の条件が成立したときに貯留していた打玉を放出することができる打玉貯留機構と、該打玉貯留機構によって貯留されている打玉の貯留位置を変化させる貯留位置変化機構と、を備えて構成されるので、第１の状態中に所定の条件が成立して打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」と訂正する。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、明瞭でない記載の釈明を目的とし、特許明細書及び図面に記載された事項の範囲内であって、実質上特許請求の範囲を拡張・変更するものではない。
（３）独立特許要件の判断
（引用刊行物記載の発明）
  訂正明細書の請求項１に係る発明（以下、訂正発明という）に対して、当審が先に通知した実願昭６２−１４４２５７号（実開昭６４−４９２８５号公報）の全文マイクロフィルムには、以下の発明（以下、引用発明という）が記載されている。
「入賞室１１の底部１６の前端部分を占めるようにして複数の入賞口たる複数の第二の入賞口、この場合は３つの入賞口１７、１８及び１９を開口させている。」(第６頁１０〜１３行)
「入賞装置Ａを示した第１図及び第２図において、１０は入賞室１１を成したケーシングとしての本体であり」(第５頁１７行〜１９行)
「中央の入賞口１８はここにパチンコ球が入るとソレノイド１５が所定回数間欠的に通電されて回転翼片１４が間欠的に開閉するようになさしめる特別入賞口となっている。」(第６頁第１３〜１６行)
「この切欠部２４を通って入賞球の受け入れ及び放出の時点を・・・微妙に変えることができ」(第１１頁３〜５行)
「球はこの切欠を通過して障害物に抱持され、そのまま共に公転していく」(第４頁第１１〜１３行)
「遂に放出された球は、そのときの障害物の位置によって回転盤上を下方へ転動する途中、他の障害物に衝突されたり、また再抱持されることもあり」(第４頁第１６〜１９行)
（対比・判断）
　本件訂正発明と引用発明とを対比すると、両者は、可変入賞球装置内の複数の入賞口のうちの特別入賞口に入賞することにより所定期間可変入賞球装置内にパチンコ球を入賞しやすい状態に駆動するパチンコ遊技機に関するものであり、可変入賞球装置内の貯留状態にあるパチンコ球の貯留位置を移動・変化させる点で共通するものであるが、引用発明には、本件訂正発明で特定する「所定期間の第１の状態中に所定の条件が成立したときに貯留していた打玉を放出することができる打玉貯留機構」の構成について記載されておらず、またそれを示唆する記載もない。そして本件訂正発明は、この構成によって引用発明にはない明細書記載の格別な効果を奏するものと認める。
　したがって、本件訂正発明は、引用発明から容易にできたものとはいえない。
（４)むすび
  以上のとおり、上記訂正請求は、特許法第１２０条の４第２項及び同条第３項で準用する第１２６条第２ないし４項の規定に適合するものであるからこれを認める。
３．特許異議の申立てについての判断
（１）申立て理由の概要
  特許異議申立人は、本件特許の請求項１に係る発明は、本件発明の出願日前に頒布された甲第１号証に記載された発明であるから、特許法第２９条第１項第１号の規定により特許を受けることができない。したがってその特許を取り消すべき、と主張している。
（２）訂正後の請求項１に係る発明
　訂正後の請求項１に係る発明（以下、本件発明という）は、その訂正明細書の特許請求の範囲の請求項１に記載されたとおりのものである（前記２．訂正の内容参照）。
（３）証拠及び対比・判断
　これに対して、本件発明と申立人が提出した甲第１号証（先の取消理由通知書にて示した実願昭６２−１４４２５７号（実開昭６４−４９２８５号公報）の全文マイクロフィルム）に記載された発明とを対比すると、甲第１号証記載の発明には、２．訂正の適否（３）で示したように、本件発明で特定する「所定期間の第１の状態中に所定の条件が成立したときに貯留していた打玉を放出することができる打玉貯留機構」の構成について記載されておらず、またそれを示唆する記載もない。そして本件発明は、この構成によって甲第１号証記載の発明にはない明細書記載の格別な効果を奏するものと認める。
（４）むすび
　以上のとおり、異議申立人が主張する理由及びその証拠によっては本件発明に係る特許を取り消すことはできない。
　また、本件発明に係る特許を取り消すべき他の理由を発見しない。
　よって、結論のとおり決定する。
【異議決定日】
平成１２年７月１９日（２０００．７．１９）
【訂正の要旨】
訂正の要旨
１．特許請求の範囲の訂正
　「２．特許請求の範囲
　特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機において、
　前記複数の入賞口の上流側の前記入賞空間に設けられ、受入れられた打玉を貯留し、且つ放出することができる打玉貯留機構と、
　該打玉貯留機構によって貯留されている打玉の貯留位置を変化させる貯留位置変化機構と、を備えたことを特徴とする弾球遊技機。」を、
「２．特許請求の範囲
　特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機において、
　前記複数の入賞口の上流側の前記入賞空間に設けられ、受入れられた打玉を貯留し、且つ前記所定期間の第１の状態中に所定の条件が成立したときに貯留していた打玉を放出することができる打玉貯留機構と、
　該打玉貯留機構によって貯留されている打玉の貯留位置を変化させる貯留位置変化機構と、を備えたことを特徴とする弾球遊技機。」と訂正する。
２．発明の詳細な説明の欄の訂正
（１）訂正事項ａ
　明細書第３頁第２０行〜第４頁第１７行の、
「［課題を解決するための手段］
　上記した目的を達成するために、この発明に係る弾球遊技機は、特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにしたものにおいて、
　前記複数の入賞口の上流側の前記入賞空間に設けられ、受入れられた打玉を貯留し、且つ放出することができる打玉貯留機構と、該打玉貯留機構によって貯留されている打玉の貯留位置を変化させる貯留位置変化機構と、を備えたことを特徴とするものである。」を、
　「［課題を解決するための手段］
　上記した目的を達成するために、この発明に係る弾球遊技機は、特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにしたものにおいて、
　前記複数の入賞口の上流側の前記入賞空間に設けられ、受入れられた打玉を貯留し、且つ前記所定期間の第１の状態中に所定の条件が成立したときに貯留していた打玉を放出することができる打玉貯留機構と、
　該打玉貯留機構によって貯留されている打玉の貯留位置を変化させる貯留位置変化機構と、を備えたことを特徴とするものである。」と訂正する。
（２）訂正事項ｂ
　明細書第４頁第１８行〜第５頁第１１行の、
「［作　用］
　可変入賞球装置が第１の状態となっている間に受入れられた打玉は、打玉貯留機構によって貯留される。この貯留された打玉は、貯留位置変化機構によってその貯留位置が常に変化されるように移動している。このような移動している状態で打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」を、
「［作　用］
　可変入賞球装置が第１の状態となっている間に受入れられた打玉は、打玉貯留機構によって貯留される。この貯留された打玉は、貯留位置変化機構によってその貯留位置が常に変化されるように移動している。このような移動している状態で第１の状態中に所定の条件が成立して打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」と訂正する。
（３）訂正事項。
　明細書第３５頁第１３行〜第３６頁第６行の、
「［発明の効果］
　以上、説明したところがら明らかなように、この発明に係る弾球遊技機は、受入れられた打玉を貯留し、且つ放出することができる打玉貯留機構と、該打玉貯留機構によって貯留されている打玉の貯留位置を変化させる貯留位置変化機構と、を備えて構成されるので、打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」を、
「［発明の効果］
　以上、説明したところがら明らかなように、この発明に係る弾球遊技機は、受入れられた打玉を貯留し、且つ所定期間の第１の状態中に所定の条件が成立したときに貯留していた打玉を放出することができる打玉貯留機構と、該打玉貯留機構によって貯留されている打玉の貯留位置を変化させる貯留位置変化機構と、を備えて構成されるので、第１の状態中に所定の条件が成立して打玉貯留機構の貯留が解除されると、解除された時点で打玉の位置がいろいろな位置となっており、且つその位置から特定入賞口を含む複数の入賞口に向けて誘導されるので、貯留されていた打玉の流下径路が多種多様となり、ほぼ一定の流下径路に従って流下するものに比較して、打玉の放出時に緊張感を味わうことができ、遊技の興趣を得ることができる。」と訂正する。
（５４）【発明の名称】
弾球遊技機
（５７）【特許請求の範囲】
　特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機において、
　前記複数の入賞口の上流側の前記入賞空間に設けられ、受入れられた打玉を貯留し、且つ
前記所定期間の第１の状態中に所定の条件が成立したときに貯留していた打玉を
　該打玉貯留機構によって貯留されている打玉の貯留位置を変化させる貯留位置変化機構と、を備えたことを特徴とする弾球遊技機。
【発明の詳細な説明】
　　［産業上の利用分野］
　この発明は、特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにした弾球遊技機に関するものである。
　　　［従来の技術］
　従来、特定入賞口に打玉が入賞したことに基づいて可変入賞球装置を打玉が入賞し難い第２の状態から打玉が入賞し易い第１の状態に所定期間変化し、その第１の状態中に受入れられた打玉が再度特定入賞口に入賞したことに基づいて再度所定期間の第１の状態を繰返すようにした弾球遊技機が市場に提供されているが、このような弾球遊技機の中には、可変入賞球装置に入賞した打玉を特定入賞口に誘導され易くするために、可変入賞球装置の入賞空間内に打玉を貯留する貯留機構を設けたものがあった。例えば、特開昭６１−２４４３８２号公報に記載される発明に、上記のような貯留機構を備えたものが開示されている。
　　［発明が解決しようとする課題］
　しかしながら、上記した従来の貯留機構は、貯留されている打玉の放出口がほぼ一定であり、このため放出後の打玉の流下径路がほぼ一定となって、特定入賞口へ誘導される可能性が高くなるものの打玉の落下状態の変化という観点から見れば、いま１つもの足らないという問題があった。
　この発明は、上記した問題点に鑑みなされたもので、その目的とするところは、貯留機構によって貯留された打玉を放出する際に、打玉の落下径路を多種多様となるようにして打玉の放出時に緊張感を味わうことができるようにし、もって遊技の興趣を得ることができる弾球遊技機を提供することにある。
　　［課題を解決するための手段］
　上記した目的を達成するために、この発明に係る弾球遊技機は、
　特定入賞口を含む複数の入賞口と、受入れられた打玉が落下する入賞空間とを有する可変入賞球装置を備え、前記特定入賞口に打玉が入賞したことに基づいて前記可変入賞球装置を打玉が入賞し難い第２の状態から打玉が入賞し易い第１の状態に所定期間変化し、その第１の状態中に受入れられた打玉が再度前記特定入賞口に入賞したことに基づいて再度所定期間の第１の状態を繰返すようにしたものにおいて、
　前記複数の入賞口の上流側の前記入賞空間に設けられ、受入れられた打玉を貯留し、且つ
前記所定期間の第１の状態中に所定の条件が成立したときに貯留していた打玉を
　該打玉貯留機構によって貯留されている打玉の貯留位置を変化させる貯留位置変化機構と、を備えたことを特徴とするものである。
　　［作　用］
　可変入賞球装置が第１の状態となっている間に受入れられた打玉は、打玉貯留機構によって貯留される。この貯留された打玉は、貯留位置変化機構によってその貯留位置が常に変化されるように移動している。このような移動している状態で
第１の状態中に所定の条件が成立して
　　［実施例］
　以下、図面を参照して、この発明の実施例について説明する。
　まず、第７図及び第８図に基づいて、実施例に係る弾球遊技機について説明する。第７図及び第８図は、弾球遊技機の一例としてのパチンコ遊技機を示し、第７図は、その正面図であり、第８図は、その背面概略図である。第７図において、パチンコ遊技機１の額縁状に形成された前面枠２の開口には、扉保持枠３が周設され、該扉保持枠３の一側にガラス板４ａ，４ｂ（第２Ａ図参照）を収納するガラス扉枠４及び前面扉板５が開閉自在に枢着される。前記前面枠２の裏面には、遊技盤１０及び図示しない発射レール等を取り付ける遊技盤保持枠２２（第８図参照）が固着される。前記前面扉板５には、打球供給皿６が取り付けられている。打球供給皿６は、後述する景品玉払出装置３２から排出された景品玉を貯留し、且つ貯溜されたパチンコ玉を１個宛打球発射レールに誘導するように構成されている。また、打球供給皿６の上流側下方の空間内に音声発生装置としてのスピーカ７が収納されている。このスピーカ７は、後述する特定遊技状態（以下、大当り状態という）になったときや、後述する始動入賞口１３ａ〜１３ｃや特定入賞口８４等に入賞玉が発生したときに、遊技の雰囲気を盛り上げるための効果音を発生するためのものである。
　前記前面枠２の下部には、パチンコ玉を遊技盤１０の遊技領域１２に打ち出す操作ハンドル８と、余剰の景品玉を貯溜する余剰玉受皿９とが取り付けられている。また、上記操作ハンドル８に対応するように前記前面枠２の下部裏面には、打球発射装置３６が固着される。この打球発射装置３６は、第８図に示すように取付基板上に、一定速度で回転する打球モータ３７と、該打球モータ３７の回転により往復回動して打玉を弾発する打球粁３８と、該打球杵３８の下端と係合して図示しない打球供給装置の玉送り片を動作せしめる玉送り摺動杆３９とから構成されている。
　前記遊技盤１０の表面には、打玉を遊技領域１２に導く打球誘導レール１１ａ、遊技領域１２を区画する遊技領域形成レール１１ｂ、図示しない多数の障害釘、各種の入賞球装置等が設けられている。より詳しく説明すると、遊技盤１０の遊技領域１２には、通常の入賞口４６，１４ａ，１４ｂ、始動入賞口１３ａ〜１３ｃ、チューリップ式入賞口１５ａ，１５ｂ、風車（符合なし）、一対の玉受部材４９ａ，４９ｂを有する可変入賞球装置４０、遊技効果ランプ１７ａ，１７ｂ、及びアウト口１６等がそれぞれ配設される。
　前記遊技領域１２に打ち込まれた打玉が前記通常入賞口４６，１４ａ，１４ｂ、及びチューリップ式入賞口１５ａ，１５ｂに入賞すると、後述する景品玉払出装置３２により所定個数（例えば１３個）の景品玉が払出されるようになっている。これら通常入賞口のうち入賞口４６は、可変入賞球装置４０に設けられている。また、前記始動入賞口１３ａ〜１３ｃに打玉が入賞すると、同様に景品玉払出装置３２から所定個数の景品玉が払出されるとともに、始動入賞口１３ａ〜１３ｃに関連して設けられた後述する始動入賞玉検出器２１ａ〜２１ｃの検出出力に応答して前記可変入賞球装置４０の玉受部材４９ａ，４９ｂを相対的に短い時間間隔で開閉動作させるようになっている。すなわち、中央始動入賞口１３ａに打玉が入賞することによって、玉受部材４９ａ，４９ｂが２回開閉動作を行い、左右の始動入賞口１３ｂ，１３ｃに打玉が入賞することによって、玉受部材４９ａ，４９ｂが１回開閉動作を行う。そして、この開閉動作中に玉受部材４９ａ，４９ｂによって導かれた入賞玉が可変入賞球装置４０内に設けられた後述する特定入賞口８４に入賞したときには、いわゆる大当り状態となり、玉受部材４９ａ，４９ｂの相対的に短い時間間隔の開閉動作を１８回行うか、あるいは１８回の開閉動作中に可変入賞球装置４０内に受入れられた入賞玉が１０個検出されるまで開閉動作を行い（以下、開閉サイクルという）、更に、１８回の開閉動作中に可変入賞球装置４０の下部に形成された複数の入賞口のうち特定入賞口８４に入賞玉が入賞すると、上記した開閉サイクルを繰返すことができるようになっている。ただし、特定入賞口８４へ打玉が入賞する毎に、開閉サイクルを直ちに停止し、次の開閉サイクルを繰返す。また、この開閉サイクルの繰り返しは、入賞玉が特定入賞口８４に入賞することを条件として、最高８回に限定されている。
　また、大当り状態になると、前記遊技効果ランプ１７ａ，１７ｂ及び前記前面枠２の上部に設けられた枠ランプ１８ａ〜１８ｃが点滅してその旨を遊技者に報知するようになっている。なお、可変入賞球装置４０については、後に詳細に説明する。
　上記に説明した各種の入賞口に入らなかった打玉は、遊技領域形成レール１１ｂの最下部に設けられたアウト口１６に取り込まれる。
　次に、第８図に基づいてパチンコ遊技機１の背面について説明する。第８図において、前記遊技盤１０は、複数の遊技盤取付具２３によって遊技盤保持枠２２に着脱自在に固定されている。この遊技盤１０の裏面には、前記の各入賞口の裏面を覆うように入賞玉集合カバー体１９が取り付けられている。この入賞玉集合カバー体１９には、前記各入賞口に入賞した玉を左右に振り分ける誘導通路が形成されている。入賞玉集合カバー体１９の下方には、前記始動入賞口１３ａ〜１３ｃに対応する始動入賞玉検出器２１ａ〜２１ｃが設けられ、この始動入賞玉検出器２１ａ〜２１ｃが前記可変入賞球装置４０の玉受部材４９ａ，４９ｂの開閉動作を開始する信号を検出して後述する制御回路に送るものである。また、入賞玉集合カバー体１９の裏面には、遊技盤１０に設けられる前記した各種の電気的機器からの配線が一旦接続される中継端子板２０が取り付けられている。
　一方、遊技盤１０の裏面全体を覆うように機構板２４が開閉自在に設けられている。この機構板２４には、第８図において、二点鎖線で示すように、その前面側に入賞玉を処理するための入賞玉処理機構が形成され、その後面側に景品玉を払出すための景品玉払出機構が形成されている。入賞玉処理機構は、前記入賞玉集合カバー体１９に誘導されて左右に落下した入賞玉や前記可変入賞球装置４０内に入賞した入賞玉を受けて、一側に集合せしめる入賞玉集合樋２５と、該集合樋２５によって集められた入賞玉を１個づつ処理する入賞玉処理器２６と、該入賞玉処理器２６から排出される入賞玉を受けて、図示しない自動杆を作動させて後述する景品玉払出装置３２を作動させるための入賞玉払出通路２７等から成る。また、機構板２４の前面側には、前記アウト口１６から排出されるアウト玉を誘導するアウト玉払出通路２８も形成されている。
　一方、景品玉払出機構は、図示しない補給機構から補給される景品玉を貯溜する景品玉タンク２９と、該景品玉タンク２９に貯溜されている景品玉を二列に整列させて流下させる整列樋３０と、該整列樋３０からの景品玉の流下方向を１８０度変化させるとともにその玉圧を弱める屈曲樋３１と、該屈曲樋３１からの景品玉を所定個数（１３個）受け入れて、１つの入賞玉に対応してその所定個数の景品玉を払出す景品玉払出装置３２と、該景品玉払出装置３２から払出された景品玉を図示しない景品玉排出通路を介して前記打球供給皿６に払出すための連通口３３と、前記前面枠２の裏面に固定される接続樋３４を介して前記余剰玉受皿９に払い出すための図示しない余剰玉通路とから成る。
　また、機構板２４の裏面には、制御回路基板を収納する制御基板ボックス３５が着脱自在に取り付けられ、この制御回路基板には、前記可変入賞球装置４０等の動作を制御する制御回路が構成されている。
　次に、特定入賞口８４を含む複数の入賞口８４、８５ａ，８５ｂが形成され、且つ実施例の要部を構成する打玉貯留装置５４を内蔵する可変入賞球装置４０の構成について、第１Ａ図ないし第４図を参照して説明する。
　可変入賞球装置４０は、前記遊技盤１０に取り付けられる取付基板４１を有し、その取付基板４１の中央には、長方形状の窓開口４２が形成され、該窓開口４２の奥側に入賞空間４３が形成されている。窓開口４２の上部には、入賞規制部４４が突設され、該入賞規制部４４の前面に上部装飾板４５が固着され、この入賞規制部４４の上部であって、上部装飾板４５の後面に前記通常入賞口４６が形成されている。また、入賞規制部４４の内側後面には、前記した開閉サイクルの継続回数（８回）を報知する継続回数表示器４７と、玉受部材４９ａ，４９ｂの開放状態において受入れられた入賞玉であって、後述する入賞玉検出器５３によって検出された入賞玉数を表示する入賞個数表示器４８とが前面に臨むようにそれぞれ配置されている。
　前記窓開口４２のほぼ中央左右には、一対の玉受部材４９ａ，４９ｂが開閉自在に軸支されている。この玉受部材４９ａ，４９ｂは、第２Ａ図に示すように、可変入賞球装置４０の後方に配置される一対のソレノイド７７ａ，７７ｂによって開閉駆動されるようになっている。この場合、玉受部材４９ａ，４９ｂの図示しない回転軸とソレノイド７７ａ，７７ｂのプランジャ７８ａ，７８ｂ（ただし７８ｂは、図示しない）に連結される作動部材７９ａ，７９ｂ（第８図参照）とを係合させることにより開閉動作が行われるようになっている。
　ところで、玉受部材４９ａ，４９ｂで受入れられた打玉は、前記入賞空間４３に横臥される水平誘導板５０によって後方に誘導され、該水平誘導板５０と、その後端左右に設けられる傾斜誘導板５１と、傾斜誘導板５１の後端に直立して設けられる垂直壁５２とによってほぼ中央の一ケ所に集合せしめられ、その集合せしめられた箇所に形成される落下口に入賞玉検出器５３が臨んでいる。この入賞玉検出器５３は、大当り状態における可変入賞球装置４０の前記開閉サイクル中に玉受部材４９ａ，４９ｂで受入れられた打玉を検出するもので、その検出出力が計数されて前記入賞個数表示器４８に表示されるものである。
　また、入賞玉検出器５３の下方の入賞空間４３には、この実施例の要部を構成する打玉貯留装置５４が設けられている。この打玉貯留装置５４は、入賞空間４３の後面を構成する後面壁６７及び両側面壁に支持されるガイド筒５５と、該ガイド筒５５の下方に位置し、上下摺動自在に設けられる回転板５７とから構成されるものである。
　前記ガイド筒５５は、パチンコ玉の半径よりもやや大きい巾を有した筒状に形成され、その中央に円形の開口部５６が開設されている。そして、前記入賞玉検出器５３を通過して落下した打玉は、この開口部５６内に向けて落下される。また、開口部５６の下方には、その開口部５６の直径よりもやや小さい直径を有する回転板５７が配置される。この回転板５７は、上記したように上下方向に摺動するようになっており、上方に移動したときには、第１Ａ図及び第２図に示すように開口部５６を閉塞して前記入賞玉検出器５３を通過して落下した打玉を貯留し、下方に移動したときには、第１Ｂ図及び第３図に示すように開口部５６との間にパチンコ玉が通過し得るような間隔を形成し、ガイド筒５５内で打玉が貯留されないようにしている。ところで、この回転板５７は、その中心に設けられる支軸５８を後述する上下摺動板６６に水平方向に突設される支持部材６１の軸受部６２に回転自在に軸支されている。そして、回転板５７の上面は、傘状の傾斜面５９となるように構成され、その外周下端には、ギヤ部６０が周設されている。前記支持部材６１の先端には、前記軸受部６２が形成されているが、その後端には、移動用モータ６４の出力軸６５に固着される駆動ギヤ６３が内蔵されており、この駆動ギヤ６３と前記回転板５７のギヤ部６０とが噛合するようになっている。移動用モータ６４は、上下摺動板６６の後面に取着されている。しかして、移動用モータ６４が駆動されると、駆動ギヤ６３とギヤ部６０との係合により回転板５７が回転し、回転板５７の傾斜面５９に載置されている打玉が移動することになる。また、移動用モータ６４は、回転板５７が上昇した時点から上昇した位置から下降した位置に到達した直後まで駆動されるように設定されており、このため、打玉が回転板５７とガイド筒５５とによって貯留されている間中移動していることになる。したがって、回転板５７は、打玉を貯留する機能とその貯留位置を変化させる機能とを併設していることになる。
　回転板５７が支持される上下摺動板６６は、前記入賞空間４３の後面を構成する後面壁６７の裏面に沿って上下方向に摺動自在に設けられるが、この機構について説明すると、前記後面壁６７の上部裏面には、ガイド突起６８が突設され、該ガイド突起６８に上下摺動板６６の上部に形成された縦長な長穴６９を貫挿させて、その摺動動作を案内させている。また、長穴６９の下方には、二又状の係合部７０が後方に向って突設され、該係合部７０に後述する回転カム７４に突設された係合ピン７５が遊嵌されるようになっている。回転カム７４は、貯留用モータ７２の出力軸７３に固着されるものであるが、その貯留用モータ７２は、前記後面壁６７の裏面から突設される取付板７１の裏面に取着されるものである。また、回転カム７４の係合ピン７５は、第２Ｂ図に示されるように回転カム７４の外周部に突設されているため、回転カム７４が回転すると係合ピン７５は、上下左右に移動するものであるが、前記係合部７０との係合において左右方向の移動を吸収するようになっているので、係合ピン７５の動作のうち上下方向の動作だけが係合部７０を介して上下摺動板６６に伝達される。また、回転カム７４の外周であって係合ピン７５と出力軸７３とを結ぶ直線上には、凹部が対称的に２箇所形成され、回転カム７４の外周に当接するモータ位置検出器７６のアクチュエータの動作を介してモータ位置検出器７６をＯＮからＯＦＦ又はＯＦＦからＯＮに変化させるようになっている。しかして、この変化は、回転カム７４が半回転する毎に生じ、しかも係合ピン７５が最も上昇した位置と最も下降した位置で生ずるようになっている。つまり、上下摺動板６６の上昇点と下降点を検出することにより回転板５７の上昇した位置での停止、及び下降した位置での停止を制御することができるようになっている。
　以上のような構成からなる打玉貯留装置５４は、大当り状態における開閉サイクルの開始と同時に貯留用モータ７２が回転を開始して回転板５７を上昇させ、その上昇した位置で貯留用モータ７２の回転が停止される。また、回転板５７が上昇した時点で次に移動用モータ６４が回転を開始するようになっている。このような状態で玉受部材４９ａ，４９ｂに受入れられた打玉は、入賞玉検出器５３によって検出された後、回転板５７上に落下して傾斜面５９により回転板５７の外周に誘導されるが、回転板５７の外周がガイド筒５５によって囲まれているため、回転板５７とガイド筒５５とによって貯留される。そして、この貯留された状態においては、回転板５７が回転しているため、貯留された打玉の位置がガイド筒５５に沿って常に変化している。このような打玉の貯留及び移動は、回転板５７が上昇した位置で停止している間継続するが、開閉サイクルにおける所定の条件が成立すると、具体的には、この実施例においては、８個の入賞玉が入賞玉検出器５３によって検出されるか、あるいは玉受部材４９ａ，４９ｂが１０回開閉動作を行うかのいずれかの条件が成立したときに、再度貯留用モータ７２が回転を開始して回転板５７を下降させる。回転板５７が下降して下降点に到達すると、ガイド筒５５と回転板５７との間に間隙が生じ、その間隙から貯留された打玉が入賞空間４３に放出されるが、このとき、貯留された打玉は、最初に落下して貯留されていた位置とは変化しており、しかも第４図に示すように後方の一部を除くいずれの位置からでも放出されるので、打玉の放出径路が多種多用となって入賞空間４３を下方に向けて落下する。なお、回転板５７が下降点に到達した際には、移動用モータ６４の駆動が停止される。
　以上のようにして打玉貯留装置５４から放出された打玉は、入賞空間４３の下方を構成する玉転動板８０上に落下して前方に流下する。玉転動板８０の前方には、取付基板４１の前方に突設された入賞玉受枠８１を一対の仕切部材８３で区画された３つの入賞口、すなわち中央の特定入賞口８４と左右の通常入賞口８５ａ，８５ｂが配置されている。特定入賞口８４には、打玉の通過を検出する特定入賞玉検出器８６が内蔵され、この特定入賞玉検出器８６の作動によって大当り状態の発生と、大当り状態における開閉サイクルの繰返しを判定するようになっている。なお、入賞玉受枠８１の前方には、下部装飾板８２が取着されている。
　以上のように構成された可変入賞球装置４０を含むパチンコ遊技機１の制御動作について第５図及び第６図を参照して説明する。
　まず、パチンコ遊技機１の制御について第５図に基づいて説明する。第５図は，前記制御基板ボックス３５に収納される制御基板に形成される制御回路を示すブロック図である。図において、制御回路は制御中枢としてのマイクロコンピュータ９０を含む。マイクロコンピュータ９０は、たとえば、数チップのＬＳＩで構成されており、その中には制御動作を所定の手順で実行することのできるＭＰＵ９１と、ＭＰＵ９１の動作プログラムデータを格納するＲＯＭ９２と、必要なデータの書込みおよび読出しができるＲＡＭ９３とを含む。更に、マイクロコンピュータ９０は、入力信号を受けてＭＰＵ９１に入力データを与え、且つＭＰＵ９１からの出力データを受けて外部に出力する入出力回路９４とを含んでいる。そしてＭＰＵ９１はＲＯＭ９２内に格納されたプログラムデータに従って、かつ以下に述べる各制御信号の入力に応答して、可変入賞球装置４０等に対して制御信号を与える。
　マイクロコンピュータ９０には、入力信号として、次のような信号が与えられる。まず、始動入賞口１３ａ〜１３ｃのそれぞれに対応して設けられた始動入賞玉検出器２１ａ〜２１ｃの検出信号は、検出回路９５に与えられ、マイクロコンピュータ９０に始動入賞玉検出信号として与えられる。入賞玉検出器５３で検出された検出信号は、検出回路９６に与えられ、入賞玉計数信号としてマイクロコンピュータ９０に与えられる。また、特定入賞玉検出器８６で検出された検出信号は、検出回路９７に与えられ、大当り状態判定信号又は繰返し信号としてマイクロコンピュータ９０に与えられる。更に、モータ位置検出器７６で検出された検出信号は、検出回路９８に与えられ、貯留用モータ７２の回転停止信号としてマイクロコンピュータ９０に与えられる。
　また、マイクロコンピュータ９０は以下の回路及び装置に制御信号を与える。まず、駆動回路９９を介して移動用モータ６４（以下、駆動モータＡという）及び貯留用モータ７２（以下、駆動モータＢという）に駆動信号を与える。駆動回路１００を介して可変入賞球装置４０の玉受部材４９ａ，４９ｂを開閉するソレノイド７７ａ，７７ｂに駆動信号を与える。制御回路１０１を介して継続回数表示器４７、及び入賞個数表示器４８を点灯させるための制御信号を与える。制御回路１０２を介して、大当り状態に対応して設けられる遊技効果ランプ１７．ａ，１７ｂ、及び枠ランプ１８ａ〜１８ｃをそれぞれ点灯もしくは点滅させるための制御信号を与える。制御回路１０３を介して、効果音を発生するスピーカ７に制御信号を与える。なお、上記構成の各回路には、図示しない電源回路から所定の直流電圧が供給される。
　次に上記した制御回路の動作について第６図のフロー図を参照して説明する。なお、このフロー図は、大当りとなった以後の特に打玉貯留装置５４の動作を示したものであり、他の動作は、省略した。しかして、大当りとなる前の打玉貯留装置５４の状態は、第１Ｂ図に示すように回転板５７が下降した位置となっており、この状態は、始動入賞口１３ａ〜１３ｃに入賞して玉受部材４９ａ，４９ｂが１回又は２回の開閉動作を行っている状態でも変らない。したがって、始動入賞による玉受部材４９ａ，４９ｂの開閉動作により受入れられた打玉は、入賞玉検出器５３を通過して回転板５７上に落下し、そのまま回転板５７とガイド筒５５との間から玉転動板８０に落下して特定入賞口８４及び通常入賞口８５ａ，８５ｂのいずれかに誘導される。つまり、打玉貯留装置５４は、始動入賞時には、打玉を貯留しない。
　ところで、第６図において、始動入賞により受入れられた打玉が特定入賞口８４に入賞して特定入賞玉検出器８６をＯＮさせると、大当り状態となるが、この大当り状態に基づく玉受部材４９ａ，４９ｂの１８回の開閉処理が開始されたか否かが判別され（ステップＳ１）、開始されたと判別されたときには、打玉貯留装置５４を貯留位置まで駆動すべく駆動モータＢが駆動される（ステップＳ２）。その後、回転板５７を回転すべく駆動モータＡがＯＮされる（ステップＳ３）。駆動モータＡがＯＮされると、打玉貯留装置５４に貯留されている打玉がその貯留位置を常に変化するように移動する。
　このような状態は、入賞玉検出器５３の検出信号数をカウントする入賞玉カウンタ（以下、ＩＮＣＴという）の値が「８」になるか、あるいは玉受部材４９ａ，４９ｂの開閉回数が「１０」回に到達するまで継続される（ステップＳ４、Ｓ５）。しかして、ＩＮＣＴの値が「８」になったとき、又は玉受部材４９ａ，４９ｂの開閉回数が「１０」回に到達すると、打玉貯留装置５４を貯留解除位置まで駆動すべく駆動モータＢを駆動し（ステップＳ６）、その後、駆動モータＡをＯＦＦとして回転板５７の回転を停止させる（ステップＳ７）。しかして、回転板５７が下降して貯留されていた打玉を放出する際には、貯留されている間その位置が変化していたため、その放出径路が多種多用となっており、放出後の打玉が特定入賞口８４に向って玉転動板８０を流下するとは限らないし、また、特定入賞口８４に向って流下するかも知れず、遊技者にとって打玉の放出時に緊張感を味わうことができ、もって遊技の興趣を得ることができる。
　なお、上記した実施例（以下、第１実施例という）においては、打玉貯留装置５４の構造として回転板５７を移動させるようにしたが、ガイド筒５５を上昇、あるいは下降するように構成しても良いし、また、回転板５７に打玉の貯留を可能とする溝状の玉載置部を設けて、その溝に沿って移動できるようにしてもよい。また、駆動モータＡを一方向にのみ駆動するのではなく、所定のタイミングで逆方向に駆動したり、ランダムなタイミングで正逆回転を繰返すようにしてもよい。また、駆動モータＡを常に駆動させておき、始動開閉時に打玉の貯留を行わないが、落下した打玉に多少の変化を与えるようにしてもよく、また、始動開閉時でも打玉を貯留するようにしてもよい。更に、打玉貯留装置５４に玉受部材４９ａ，４９ｂで受入れられたすべての打玉を貯留するのではなく、一部の打玉を貯留するようにしてもよい。
　また、打玉貯留装置を他の構成で貯留できるようにしてもよい。例えば、第９Ａ図及び第９Ｂ図に示す可変入賞球装置１１０（以下、第２実施例という）に設けられる打玉貯留装置であってもよい。ここで、可変入賞球装置１１０の構成について第９Ａ図及び第９Ｂ図を参照して簡単に説明する。可変入賞球装置１１０は、第１実施例と同様に一対の玉受部材１１１ａ，１１１ｂが開閉自在に軸支され、その玉受部材１１１ａ，１１１ｂによって受入れられた打玉は、入賞空間１１２の上部に横臥された上部玉転動板１１３を転動して後方に誘導される。後方に誘導された打玉は、上部玉転動板１１３の後端に形成された落下口１１４から下方に向けて落下し、入賞空間１１２の底面を構成する下部玉転動板１１５上に落下する。この下部玉転動板１１５は、前方に向って下り傾斜し、その前方に第１実施例と同様に特定入賞口１２７と通常入賞口１２８ａ，１２８ｂとが設けられている。
　ところで、下部玉転動板１１５には、流下する打玉を停止貯留したり、あるいは放出する打玉貯留装置が構成されている。打玉貯留装置は、下部玉転動板１１５に「Ｖ」字状に穿設された複数の打玉貯留穴１１６ａ〜１１６ｅと、各打玉貯留穴１１６ａ〜１１６ｅに対応して設けられる押上板１１７ａ〜１１７ｅと、該押上板１１７ａ〜１１７ｅを駆動するソレノイド１２３ａ〜１２３ｅとから構成されている。さらに詳細に説明すると、打玉貯留穴１１６ａ〜１１６ｅは、下部玉転動板１１５を流下する打玉の下部が嵌入する程度の大きさに選ばれるとともに、その頂点に位置する打玉貯留穴１１６ｃは、前記特定入賞口１２７の直前に位置し、且つその上流側に打玉の流下を阻止して左右に振分ける障害突起１１５ａが設けられている。また、打玉貯留穴１１６ａ〜１１６ｅの下方に押上板１１７ａ〜１１７ｅの先端に突設された突部１１９ａ〜１１９ｅが臨むようになっている。押上板１１７ａ〜１１７ｅは、その後端寄りを共通の支軸１１８で揺動自在に支持され、その支軸１１８の前方であって前記下部玉転動板１１５の裏面から垂下される支持部材１２０ａ〜１２０ｅ（ただし、１２０ｃのみを示す；以下同じ）との間に付勢スプリング１２１ａ〜１２１ｅが差し渡され、押上板１１７ａ〜１１７ｅの先端である前記突部１１９ａ〜１１９ｅが常に打玉貯留穴１１６ａ〜１１６ｅから下部玉転動板１１５の表面に突出した状態としている。また、押上板１１７ａ〜１１７ｅの後端の後端当接部１２２ａ〜１２２ｅには、ソレノイド１２３ａ〜１２３ｅが励磁されたときにソレノイド１２３ａ〜１２３ｅのプランジャ１２４ａ〜１２４ｅの上端に固着された作動板１２５ａ〜１２５ｅが当接するようになっている。なお、プランジャ１２４ａ〜１２４ｅの下方には、常にプランジャ１２４ａ〜１２４ｅを下方に付勢する復帰スプリング１２６ａ〜１２６ｅが周設され、ソレノイド１２３ａ〜１２３ｅが非励磁状態のとき前記作動板１２５ａ〜１２５ｅと後端当接部１２２ａ〜１２２ｅとが当接しないようにしている。
　上記のように構成される打玉貯留装置の作用について説明すると、大当り状態となる前においては、ソレノイド１２３ａ〜１２３ｅが非励磁状態となっているため、押上板１１７ａ〜１１７ｅの突部１１９ａ〜１１９ｅが下部玉転動板１１５の表面から突出した状態となっている。このため、下部玉転動板１１５上を流下する打玉は、突部１１９ａ〜１１９ｅ及び障害突起１１５ａに衝突しながら特定入賞口１２７や通常入賞口１２８ａ，１２８ｂに誘導される。このようにして誘導された打玉が特定入賞口１２７に入賞すると大当り状態となるが、その大当り状態においては、打玉貯留装置は、以下のように作用する。
　まず、中央のソレノイド１２３ｃを除くソレノイド１２３ａ〜１２３ｅは、ランダムに励磁・非励磁を繰返すように制御される。また、中央のソレノイド１２３ｃは、常に励磁された状態を維持する。しかして、ソレノイド１２３ａ〜１２３ｅがＯＮ・ＯＦＦを繰返すことにより突部１１９ａ〜１１９ｅが打玉貯留穴１１６ａ〜１１６ｅから出没動作を繰返すことになるため、突部１１９ａ〜１１９ｅが退避した状態では、下部玉転動板１１５を流下する打玉が打玉貯留穴１１６ａ〜１１６ｅに嵌入して貯留され、突部１１９ａ〜１１９ｅが突出した状態では、貯留された打玉が打玉貯留穴１１６ａ〜１１６ｅから放出されることになる。そして、この第２実施例では、打玉貯留穴１１６ａ〜１１６ｅが「Ｖ」字状に形成されているため、例えば、第９Ａ図に示すように打玉貯留穴１１６ａに貯留された打玉が放出されたときには、その下流側に位置する打玉貯留穴１１６ｂに向って放出されたり、あるいは直接通常入賞口１２８ａに向けて放出されたりする。打玉貯留穴１１６ｂに向けて放出された場合において、打玉貯留穴１１６ｂがタイミングよく貯留可能であれば、放出された打玉は、再度打玉貯留穴１１６ｂに貯留される。すなわち、打玉の貯留位置が変化する。更に、打玉貯留穴１１６ｂに貯留された打玉が放出されたときには、その下流側に位置する打玉貯留穴１１６ｃに向けて放出されたり、あるいは直接通常入賞口１２８ａに向けて放出される。打玉貯留穴１１６ｃに向けて放出された場合には、前記したように打玉貯留穴１１６ｃは、常に貯留可能な状態に維持されているため、放出された打玉が打玉貯留穴１１６ｃに貯留される。
　このように、第２実施例においては、下部玉転動板１１５を流下する打玉が次々と貯留位置を変化させたり、あるいは直接複数の入賞口（特に通常入賞口１２８ａ，１２８ｂに向けて）に誘導されたりするが、所定の条件が成立（第１実施例と同様に８個の入賞又は１０回の開閉動作）すると、すべてのソレノイド１２３ａ〜１２３ｅが非励磁状態となる。この場合、中央のソレノイド１２３ｃも非励磁状態となるので、打玉貯留穴１１６ｃに打玉が貯留されている場合には、それが放出されて特定入賞口１２７に誘導される可能性が高くなり、開閉サイクルを繰返すことができる。なお、下部玉転動板１１５上を落下する打玉で常に貯留可能な中央の打玉貯留穴１１６ｃに向けて流下する打玉は、障害突起１１５ａによって左右に振分けられる場合が多く、このため打玉貯留穴１１６ｃに貯留される打玉は、順次貯留位置を変化させてきた打玉である場合が多い。
　以上、第２実施例に係る打玉貯留装置について説明してきたが、この第２実施例においても、下部玉転動板１１５を流下する打玉が貯留位置を変化されながら放出されたりする動作を行うが、その放出径路が多種多用となっており、放出後の打玉が特定入賞口１２７に向って下部玉転動板１１５を流下するとは限らないし、また、特定入賞口１２７に向って流下するかも知れず、遊技者にとって打玉の放出時に緊張感を味わうことができ、もって遊技の興趣を得ることができる。
　なお、打玉貯留装置として前記した第１実施例及び第２実施例と異なる構成であってもよい。例えば、磁石（電磁石を含む）によって打玉の流下状態を停止貯留し、その停止貯留中に貯留位置を変化させるようにしてもよい。例えば、電磁石を用い、その電磁石の通電を任意の位置で遮断することにより打玉を放出するようにしてもよい。また貯留位置の変化も打玉の位置が実質的に変化するように構成されるものであればどのような構成であってもよく、その移動態様も前後方向、上下方向、左右方向いずれであってもよい。また、打玉貯留装置が設けられる可変入賞球装置の構造においても、玉受部材が開閉する形式のものやスライドする形式のものであってもよいし、玉受部材が閉成している状態で打玉が入賞可能としたものでもよいし、あるいは、入賞玉検出器を特定入賞玉検出器よりも下流側に設けたものでもよい。
　また、弾球遊技機としても、封入玉を使用して遊技する、いわゆるカード式弾球遊技機であってもよい。
　　［発明の効果］
　以上、説明したところがら明らかなように、この発明に係る弾球遊技機は、受入れられた打玉を貯留し、且つ
所定期間の第１の状態中に所定の条件が成立したときに貯留していた打玉を
第１の状態中に所定の条件が成立して
【図面の簡単な説明】
　第１Ａ図ないし第８図は、第１実施例を示し、第１Ａ図は、実施例に係る可変入賞球装置の正面図、第１Ｂ図は、同じく可変入賞球装置の部分正面図、第２Ａ図及び第３図は、可変入賞球装置の全体の縦断面図、第２Ｂ図は、可変入賞球装置内に設けられる打玉貯留装置を駆動させる駆動モータの制御を示す図解図、第４図は、打玉貯留装置の横断面図、第５図は、遊技動作を制御する制御回路のブロック図、第６図は、主として打玉貯留装置の動作を示すフロー図、第７図は、弾球遊技機の一例としてのパチンコ遊技機の正面図、第８図は、パチンコ遊技機の背面概略図である。第９Ａ図及び第９Ｂ図は、第２実施例を示し、第９Ａ図は、第２実施例に係る可変入賞球装置に設けられる打玉貯留装置を示す横断面図、第９Ｂ図は、打玉貯留装置を示す縦部分断面図である。
　１・・パチンコ遊技機（弾球遊技機）
　４０・・可変入賞球装置
　４３・・入賞空間
　５４・・打玉貯留装置（打玉貯留機構）
　５７・・回転板（貯留位置変化機構の一部）
　８４・・特定入賞口
　８５ａ，８５ｂ・・通常入賞口
　１１０・・可変入賞球装置
　１１２・・入賞空間
　１１６ａ〜１１６ｅ・・打玉貯留穴（打玉貯留機構）
　１１７ａ〜１１７ｅ・・押上板（貯留位置変化機構の一部）
　１２７・・特定入賞口
　１２８ａ，１２８ｂ・・通常入賞口